(57)【要約】【課題】  高分子物質を用いずに、粘度の温度依存を改良し、或いは、温度の上昇と共に逆に粘度を上昇させることにより、オイル等の流動性有機物の温度依存性を改良する方法及びそのための粘度調整剤を提供する。【解決手段】油性の流体に、水素結合により線状及び／又は網状に連続的に結合して、親油性の超分子を形成する物質と、その分子間の結合力を制御する機能を有する、油溶性のアルコールなどの補助剤とを加えることにより、前記超分子を溶解している油性の流体の粘度の温度依存性を低減又は逆転させることが可能となる。【選択図】図１
2012077195.tif 000002
【特許請求の範囲】
【請求項１】
水素結合により線状及び／又は網状に連続的に結合して、親油性の超分子を形成する物質を用いるとともに、その分子間の結合力を制御する機能を有する補助剤を加えることにより、前記超分子を溶解している油性の流体の粘度の温度依存性を低減又は逆転させることを特徴とする流動性有機物の粘度調整方法。
【請求項２】
前記親油性の超分子を形成する物質が、分子間水素結合を形成可能なアミド結合を複数有することにより線状に連続的に結合して油溶性の超分子を形成する物質であることを特徴とする請求項１に記載の方法。
【請求項３】
前記補助剤が、油溶性のアルコールであることを特徴とする請求項１又は２に記載の粘度調整方法。
【請求項４】
前記親油性の超分子を形成する物質が、下記の一般式（Ｉ）又は（II）であることを特徴とする請求項１〜３のいずれか１項に記載の方法。
【化１】
2012077195.tif 000009
【化２】
2012077195.tif 000010
（式中、Ｒ１〜Ｒ３は、それぞれ独立に炭素数４〜２０の、直鎖状、分岐鎖状、又は環状の構造を有するアルキル基を表す。）
【請求項５】
前記親油性の超分子を形成する物質が、N,N',N"-トリス(3,7-ジメチルオクチル)ベンゼン-1,3,5-トリ-カルボキシアミド、又は1-オクタデカノイルアミノ-3,5-ビス(2-エチルへキシルアミノ-カルボニル)ベンゼンであることを特徴とする請求項４に記載の方法。
【請求項６】
水素結合により線状及び／又は網状に連続的に結合する、親油性の超分子を形成する物質と、その分子間の結合力を弱める機能を有する補助剤とを有効成分とすることを特徴とする流動性有機物の粘度調整剤。
【請求項７】
前記親油性の超分子を形成する物質が、分子間水素結合を形成可能なアミド結合を複数有することにより線状に連続的に結合して油溶性の超分子を形成する物質であることを特徴とする請求項６に記載の流動性有機物の粘度調整剤。
【請求項８】
前記補助剤が、油溶性のアルコールであることを特徴とする請求項６又は７に記載の流動性有機物の粘度調整剤。
【請求項９】
前記親油性の超分子を形成する物質が、下記の一般式（Ｉ）又は（II）であることを特徴とする請求項６〜８のいずれか１項に記載の流動性有機物の粘度調整剤。
【化１】
2012077195.tif 000011
【化２】
2012077195.tif 000012
（式中、Ｒ１〜Ｒ３は、それぞれ独立に炭素数４〜２０の、直鎖状、分岐鎖状、又は環状の構造を有するアルキル基を表す。）
【請求項１０】
前記親油性の超分子を形成する物質が、N,N',N"-トリス(3,7-ジメチルオクチル)ベンゼン-1,3,5-トリ-カルボキシアミド、又は1-オクタデカノイルアミノ-3,5-ビス(2-エチルへキシルアミノ-カルボニル)ベンゼンであることを特徴とする請求項９に記載の流動性有機物の粘度調整剤。
【発明の詳細な説明】
【技術分野】
【０００１】
本発明は、流動性有機物の粘度調整方法及びそのための粘度調整剤に関する。
【背景技術】
【０００２】
流動性有機物の粘度は、多くの場合、温度上昇とともに減少する。
流動性有機物の一種である潤滑油は、産業機械や自動車の分野において広範に用いられており、可動部の摩擦を制御する、可動部の損耗を減少する、可動部の腐蝕を低減する等の種々の機能を有するものである。
近年、地球環境保護の観点から、産業機械や自動車の省燃費性が要求されてきており、潤滑油の粘性に関する温度特性の改良が望まれている。
すなわち、潤滑油の機能の発現には最適な粘度の範囲があり、高粘度では、エネルギー効率を悪化させ、低粘度では潤滑効果を失う。潤滑油の粘度は、温度依存性を有しているために、温度の上昇と共に減少する。この粘度の温度依存性のために、使用温度範囲の中で必要な粘度を保つためには、低温領域の高粘度化とこれに起因するエネルギー効率の悪化を許容する必要があった。したがって、粘度の温度依存性が小さい潤滑油が存在すれば、低温度領域でのエネルギー効率を悪化させないで済む。
また、ＪＳ１０等の、ＪＩＳＺ８８０９に規定されている粘度計校正用標準液は、同様に温度依存性を有しているため、温度依存性がないか、或いは、温度依存性を非常に小さくした粘度計校正用標準液が望まれている。
【０００３】
従来、潤滑油等の温度依存性を改良する目的で、ある種の重合体からなる高分子粘度指数向上剤を添加することが知られている（特許文献１，２等）。なお、粘度指数とは、潤滑油の粘度の温度依存性の尺度として用いられるものであり、粘度指数が大きいほど温度変化に対する安定性が高いことを意味する。
しかしながら、このような粘度指数向上剤には、粘度指数を向上させる機能とは別に、剪断安定性が要求される。特に、エンジンオイルなどの駆動系の潤滑油は、クランク軸やギアなどにより強い剪断力を受けるが、粘度指数向上剤として、高分子物質を用いた場合、この剪断力により、ベースポリマーのポリマー鎖が切断され、分子量の低下を生じ、その結果、粘度指数の低下を生じやすくなる。剪断安定性を向上させるためには、重量平均分子量を低くすることが必要であるが、重量平均分子量を低くすると、粘度指数を充分に向上させるために、添加量を増やすことが必要になる。
【０００４】
一方、油脂などの流動性有機物を増粘・ゲル化する手段として、種々のゲル化剤が提案されている。
例えば、特許文献３では、アミノ酸アルキルアミドとベンゼンカルボン酸クロライドを反応させて得られたベンゼンカルボン酸アミド化合物を有効成分とするゲル化剤又は固化剤が、特許文献４では、シクロヘキサントリカルボキサミドのアルキル誘導体を有効成分とする増粘・ゲル化剤が、それぞれ提案されている。また、非特許文献１には、トリアルキル−１，３，５−ベンゼントリカルボキシアミドの増粘効果について、非特許文献２には、１−アシルアミノ−３，５−ビス（２−エチルヘキシルアミノカルボニル）ベンゼンの増粘効果について記載されている。
しかしながら、これらの増粘剤やゲル剤は、粘度の温度依存を改良する機能、或いは、温度の上昇とともに逆に粘度を上昇させる機能を有するものではない。
【先行技術文献】
【特許文献】
【０００５】
【特許文献１】特開平８−３０１９３９号公報
【特許文献２】特開２００８−５４０６９８号公報
【特許文献３】特開２０００−７２７３６号公報
【特許文献４】特開平９−３４４６９１号公報
【非特許文献】
【０００６】
【非特許文献１】Kenji  Hanabusa1),  Chiemi  Koto1),  Mutsumi  Kimura1),  Hirofusa  Shirai1)  and  Akikazu  Kakehi2),  Chemistry  Letters  Vol.26(1997),No.5  p.429
【非特許文献２】Daisaku  Inoue,  Yasuhiko  Sakakibara,  Masahiro  Suzuki,  Hirofusa  Shirai,  Akio  Kurose,y  and  Kenji  Hanabusa,  Chemistry  Letters  Vol.34(2005),No.3  p.348
【非特許文献３】Daisuke  Ogata,  Toshiyuki  Shikata,  and  Kenji  Hanabusa,  J.Phys.Chem.B,2004,108(40),pp15503-15510
【発明の概要】
【発明が解決しようとする課題】
【０００７】
このように、従来、流動性有機物の粘度を高めるための物質、特に、潤滑油の温度依存性を改良するために用いられている粘度指数向上剤には、主として、高分子物質が用いられるが、高分子物質は、剪断力などの強い力により分子が不可逆的に切断され、徐々に粘度低下が起こるという課題がある。
本発明は、こうした現状を鑑みてなされたものであって、高分子物質を用いずに、粘度の温度依存を改良し、或いは、温度の上昇と共に逆に粘度を上昇させることにより、オイル等の流動性有機物の温度依存性を改良する方法及びそのための粘度調整剤を提供することを目的とするものである。
【課題を解決するための手段】
【０００８】
本発明者らは、上記目的を達成すべく研究を重ね、従来、有機ゲル化剤等に用いている、水素結合による超分子構造体を形成する物質を利用することを検討した。
水素結合等の分子間相互作用によって分子同士が特定の構造をとる物質を超分子と総称するが、その中で、水素結合により、オイル等の媒体中で、２次元的な配列で、繊維状に繋がった巨大な分子集合体を作る超分子形成物質が知られている。油溶性の超分子形成物質が、巨大分子集合体になれば、媒体である油をゲル化する作用を有する。この作用を有する物質が、有機ゲル化剤であって、ゲル化剤で形成された巨大分子の網の中に、流動性液体である媒体が取り込まれてゲル化する（非特許文献３等参照）。
【０００９】
本発明者らは、この油溶性の超分子形成物質の分子間の結合が余り強固ではない場合には、媒体である流体に働く流動力や熱運動によって超分子集合体は切断と再結合を繰り返すようになり、媒体である流体は、ゲルではなく流動性のある粘稠なものとなると考えた。
そして、飽和炭化水素系の油や、流動パラフィン等の流動性の有機物に、油溶性の超分子形成物質を添加し、さらに、超分子形成に対する抑制作用を持つアルコール類などを補助剤に用いることにより、積極的に分子間結合を弱める調製を行い、油溶性の超分子物質を、流動性有機物の粘度調整剤として活用できることを見いだした。
【００１０】
本発明はこれらの知見に基づいて完成に至ったものであり、本発明によれば、以下の発明が提供される。
［１］水素結合により線状及び／又は網状に連続的に結合して、親油性の超分子を形成する物質を用いるとともに、その分子間の結合力を制御する機能を有する補助剤を加えることにより、前記超分子を溶解している油性の流体の粘度の温度依存性を低減又は逆転させることを特徴とする流動性有機物の粘度調整方法。
［２］前記親油性の超分子を形成する物質が、分子間水素結合を形成可能なアミド結合を複数有することにより線状に連続的に結合して油溶性の超分子を形成する物質であることを特徴とする［１］に記載の方法。
［３］前記補助剤が、油溶性のアルコールであることを特徴とする［１］又は［２］に記載の粘度調整方法。
［４］前記親油性の超分子を形成する物質が、下記の一般式（Ｉ）又は（II）であることを特徴とする［１］〜［３］のいずれかに記載の方法。
【化１】
2012077195.tif 000003
【化２】
2012077195.tif 000004
（式中、Ｒ１〜Ｒ３は、それぞれ独立に炭素数４〜２０の、直鎖状、分岐鎖状、又は環状の構造を有するアルキル基を表す。）
［５］前記親油性の超分子を形成する物質が、N,N',N"-トリス(3,7-ジメチルオクチル)ベンゼン-1,3,5-トリ-カルボキシアミド（N,N',N"-tris(3,7-dimethyloctyl)benzene-1,3,5-tri-carboxyamide）、又は1-オクタデカノイルアミノ-3,5-ビス(2-エチルへキシルアミノ-カルボニル)ベンゼン（1-octadecanoylamino-3,5-bis(2-ethylhexylamino-carbonyl)benzene）であることを特徴とする［４］に記載の方法。
［６］水素結合により線状及び／又は網状に連続的に結合する、親油性の超分子を形成する物質と、その分子間の結合力を弱める機能を有する補助剤とを有効成分とすることを特徴とする流動性有機物の粘度調整剤。
［７］前記親油性の超分子を形成する物質が、分子間水素結合を形成可能なアミド結合を複数有することにより線状に連続的に結合して油溶性の超分子を形成する物質であることを特徴とする［６］に記載の流動性有機物の粘度調整剤。
［８］前記補助剤が、油溶性のアルコールであることを特徴とする［６］又は［７］に記載の流動性有機物の粘度調整剤。
［９］前記親油性の超分子を形成する物質が、下記の一般式（Ｉ）又は（II）であることを特徴とする［６］〜［８］のいずれかに記載の流動性有機物の粘度調整剤。
【化１】
2012077195.tif 000005
【化２】
2012077195.tif 000006
（式中、Ｒ１〜Ｒ３は、それぞれ独立に炭素数４〜２０の、直鎖状、分岐鎖状、又は環状の構造を有するアルキル基を表す。）
［１０］前記親油性の超分子を形成する物質が、N,N',N"-トリス(3,7-ジメチルオクチル)ベンゼン-1,3,5-トリ-カルボキシアミド、又は1-オクタデカノイルアミノ-3,5-ビス(2-エチルへキシルアミノ-カルボニル)ベンゼンであることを特徴とする［９］に記載の流動性有機物の粘度調整剤。
【発明の効果】
【００１１】
本発明によれば、流動性有機物の粘度の温度依存性を小さくし、若しくは通常と逆に、即ち、温度上昇と共に粘度を上昇させることが可能となる。特に、本発明を、潤滑油に適用した場合には、低温での粘度を下げることができ、省エネルギーに貢献する。また、本発明では、高分子を用いることなく、低分子が会合した超分子を用いるため、切断されても元に戻るため、粘度の安定性が期待される。さらに、粘度の温度依存性の小さいことは、粘度の値が再現しやすいため、本発明により得られた流体は、標準液体としての価値が高い。さらにまた、本発明の粘度調整剤において、分子間結合を弱める機能を有する物質が少ない場合には、粘弾性流体が得られる。
【図面の簡単な説明】
【００１２】
【図１】トリデカンに、ＤＯ３Ｂと、補助剤としてドデカノールを添加したときの粘度の温度依存性を示す図
【図２】トリデカンに、ＯＥＨ２Ｂと、補助剤としてドデカノールを添加したときの粘度の温度依存性を示す図
【図３】トリデカンに、ＯＥＨ２Ｂと、ドデカノール（１．０３ｗ％）を添加し、ずり速度を変えて測定したときの、粘度の温度依存性を示す図
【図４】トリデカンに、ＤＯ３Ｂと、補助剤として安息香酸を添加したときの粘度の温度依存性を示す図
【図５】高温に晒されたＤＯ３Ｂ含有溶液の粘度の温度依存性を示す図
【図６】流動パラフィン系のオイル（ＪＳ１０）に、高温に晒されたＤＯ３Ｂ含有溶液を混合したときの粘度の温度依存性を示す図
【発明を実施するための形態】
【００１３】
本発明の方法は、水素結合により線状に連続的に結合する、油溶性の超分子を形成する物質を用いるとともに、該油溶性の超分子物質の分子間の結合力を制御する機能を有する、アルコールなどの補助剤を加えることにより、前記超分子を溶解している流動性有機物の粘度の温度依存性を低減又は逆転させることを特徴とする流動性有機物の粘度調整方法である。
また、本発明の流動性有機物の粘度調整剤は、水素結合により線状に連続的に結合する油溶性の超分子物質と、該超分子物質の分子間の結合力を弱める機能を有する補助剤を有効成分とすることを特徴とするものである。
【００１４】
本発明において用いる油溶性の超分子物質は、水素結合により、オイルなどの流体の中で線状に繋がった巨大な分子集合体を作る親油性の物質であって、従来有機ゲル化剤として多く用いられているものであり、代表的には、分子間水素結合を形成可能なアミド結合を複数有することにより線状に連続的に結合して油溶性の超分子を形成する物質があげられる。
具体的には、アミド結合を官能基として有する、線状に連続的に結合する、親油性の超分子物質であって、好ましいものとして、下記の一般式（Ｉ）又は（II）で表されるものが例示される。
【００１５】
【化１】
2012077195.tif 000007
【００１６】
【化２】
2012077195.tif 000008
【００１７】
なお、上記式中、Ｒ１〜Ｒ３は、それぞれ独立に、炭素数４〜４０の直鎖状、分岐鎖状、又は環状の構造を有するアルキル基を表す。
このようなアルキル基としては、具体的は、Ｒ１としては、(ＣＨ２)７ＣＨ３、(ＣＨ２)１１ＣＨ３、(ＣＨ２)１７ＣＨ３、Ｃ２Ｈ４ＣＨ(ＣＨ３)Ｃ３Ｈ６ＣＨ(ＣＨ３)２等、Ｒ２としては、(ＣＨ２)１０ＣＨ３、(ＣＨ２)１６ＣＨ３等、Ｒ３としては、ＣＨ２ＣＨ(Ｃ２Ｈ５)Ｃ４Ｈ９等が挙げられる。
【００１８】
本発明において、該超分子物質の分子間の結合力を制御する機能を有する補助剤としては、油溶性のアルコール、有機カルボン酸、一級アミンなどがあげられるが、特に、油溶性のアルコールは、流動性有機物の温度依存性の逆転現象を引き起こすので、好ましく用いられる。
本発明において用いられる油溶性のアルコールとしては、オクタノール、ドデカノール等の脂肪族アルコールが好ましい。プロパノール等の炭素数が少ないものは蒸発しやすく、効果が変動し、また、炭素数が多すぎると、低温での溶解性が悪くなり、アルコール添加の効果を失うためである。
一方、有機カルボン酸、一級アミンなどは、加えることにより粘度を低下させるので、形成される超分子の分子間結合を弱める機能を有する補助剤であるが、後述する例に示すように、通常みられる温度依存性と同様に、温度の上昇と共に粘度が減少する特性を示す。
【００１９】
本発明において、前記油溶性の超分子物質及び補助剤が添加される油性の流体は、特に限定されないが、超分子形成による増粘効果が認められる物質が対象である。例として、トリデカンなどの飽和炭化水素系の油、流動パラフィンなどが挙げられる。
添加される超分子形成物質の必要量は、期待する増粘作用の大きさに依存するが、流動性有機物に対して、０．１ｗｔ％程度から増粘効果が現れる。
また、添加される補助剤の量は、補助剤の増粘作用を減じる効果の大きさによって異なるが、アルコールの場合、流動性有機物に対して、０．１Ｍ（重量モル濃度）（１．３ｗｔ％：オクタノール換算）程度、或いはそれ以下に最適値がある場合が多い。補助剤が酸の場合は効果が強く、最適濃度はこれより低い。
さらに、本発明において、油溶性の超分子形成物質は混合して使うことが可能である。両者はほぼ同一のレオロジー的特性を示すが、溶解性がやや異なり、混合により溶解性が改善できる。
【００２０】
本発明によれば、流動性有機物の粘度の温度依存性を小さくし、若しくは通常と逆に、即ち、温度上昇と共に粘度を上昇させることが可能となる。
特に、本発明の粘度調整方法及び粘度調整剤を、潤滑油に適用した場合には、低温での粘度を下げることができ、省エネルギーに貢献する。
また、本発明では、粘度調整剤に高分子を用いることなく、低分子が会合した超分子を用いることにより、切断されても元に戻るため、粘度の安定性が期待される。
さらに、粘度の温度依存性の小さいことは、粘度の値が再現しやすいため、本発明により得られた流体は、標準液体としての価値が高い。
さらにまた、本発明の粘度調整剤において、分子間結合を弱める機能を有する物質が少ない場合には、粘弾性流体が得られるため、ゲル化剤としても用いることができる。
【実施例】
【００２１】
以下、本発明を実施例に基づいて説明するが、本発明はこの実施例に限定されるものではない。
【００２２】
最初に、実施例及び比較例に用いた材料及び測定方法について記載する。
＜油溶性の超分子物質＞
・N,N',N"-トリス(3,7-ジメチルオクチル)ベンゼン-1,3,5-トリ-カルボキシアミド(N,N',N"-tris(3,7-dimethyloctyl)benzene-1,3,5-tri-carboxyamide)（上記非特許文献１参照。以下、「ＤＯ３Ｂ」と記す。）
・1-オクタデカノイルアミノ-3,5-ビス(2-エチルへキシルアミノ-カルボニル)ベンゼン(1-octadecanoylamino-3,5-bis(2-ethylhexylamino-carbonyl)benzene)（上記非特許文献２参照。以下、「ＯＥＨ２Ｂ」と記す。）
＜補助剤＞
・ドデカノール
・安息香酸
＜流動性有機物＞
・トリデカン(tridecane)
・流動パラフィン
【００２３】
＜粘度の測定方法＞
粘度は、回転粘度計を用いて測定した。増粘された試料は、非ニュートン性で、粘度にずり速度依存性が表れる可能性が高いため、ずり速度を変化させながら（回転数を変えながら）粘度測定を行った。なお、測定温度の表記は、設定温度であり、実際の温度は６０℃の場合、１℃程度低い。
【００２４】
（実施例１）
本実施例では、流動性物質に、超分子形成物質と補助剤としてドデカノールを添加した場合の粘度の温度依存性を以下のようにして確かめた。
流動性有機物としてトリデカンを用い、これに上記ＤＯ３Ｂを超分子形成物質として、濃度５ｍｗＭとなるように加え、これに、補助剤としてドデカノールを加えた。
図１に、トリデカンにＤＯ３Ｂとドデカノールを加えたときの粘度の変化を示す。
ドデカノール濃度は、プロットの上から、０ｍＭ（◆）、４５ｍＭ（■）、９０ｍＭ（●）、１３３ｍＭ（▼）（濃度は全て重量モル濃度）であり、粘度測定のずり速度は、１００ｓ−１である。
図１から、ドデカノールが、流動性有機物であるトリデカンの粘度の温度依存性を逆転させる補助剤として有効であることが分かる。
図１には、補助剤を加えない試料の結果が示されているが、該結果から明らかなように、補助剤を加えない試料は、粘度が高い。また、非ニュートン性も大きい。
【００２５】
（実施例２）
本実施例では、流動性有機物としてトリデカンを用い、これに上記ＯＥＨ２Ｂを超分子形成物質として加え（濃度は実施例１と同じく５ｍｗＭ）、補助剤として同じくドデカノールを用いて、粘度の温度依存性を確かめた。
図２に、トリデカンにＯＥＨ２Ｂとドデカノールを加えたときの粘度の変化を示す。
ドデカノールの濃度は、プロットの上から、０ｍＭ（◆）、３４ｍＭ（■）、５５ｍＭ（●）、８９ｍＭ（▼）（濃度は全て重量モル濃度）であり、粘度測定のずり速度は、１００ｓ−１である。
図２から、ドデカノールが、流動性有機物であるトリデカンの粘度の温度依存性を逆転させる補助剤として有効であることが分かる。
【００２６】
図１、及び図２に示す結果から、超分子形成物質と高級アルコールの組み合わせで、通常とは温度依存性が逆の、高温で粘度が上昇することが分かる。
【００２７】
（実施例３）
上記実施例２の結果、ドデカノール濃度５５ｍＭ（１．０３ｗ％）は、温度の低下と共に粘度が減少する効果が測定を実施した濃度の中で最適であることが分かる。
本実施例では、この試料を用いて、粘度がずり速度によって変化する（非ニュートン性）試料であることを確かめた。
すなわち、流動性有機物としてトリデカンを用い、超分子形成物質である上記ＯＥＨ２Ｂを５ｍｗＭ（重量モル濃度）加え、さらに、１．０３ｗ％のドデカノールを加えた試料を作成した（実施例２の５５ｍＭのプロット参照）。
得られた試料について、１０〜６０℃における幾つかのずり速度での粘度を測定した。
結果を、図３に示す。
図中の数字、３．１６（■）、３１．６(●)、３１６（▲）は、それぞれ、粘度測定のずり速度(ｓ−１)を示す。
図３から明らかなように、高温の粘度上昇はずり速度に依存しており、低いずり速度では、１０倍以上の粘度上昇が観測される。また、３０℃では、非ニュートン性は小さいが、温度依存性の逆転効果は存在している。即ち、超分子形成物質と補助剤の濃度の組み合わせで、非ニュートン性と温度依存性を同時に調節できることを示している。
【００２８】
（実施例４）
本実施例では、アルコール以外の補助剤について確かめた。
流動性有機物としてトリデカンを用い、超分子形成物質である上記ＤＯ３Ｂを５ｍｗＭ（濃度は全て重量モル濃度）加え、さらに、安息香酸を０〜２７．５ｍｗＭ加えた試料を作成し、温度依存性を確かめた。
図４に、安息香酸を加えたときの粘度の変化を示す。
安息香酸の濃度は、プロットの上から、０ｍＭ（◆）、３．７ｍＭ（■）、１３．５ｍＭ（●）、２７．５ｍＭ（▼）であり、粘度測定のずり速度は、１００ｓ−１である。
図４から明らかなように、補助剤として安息香酸を用いた場合の粘度の温度依存性は、一般に見られる温度の上昇と共に粘度が減少する特性を示すが、該補助剤は、加えることにより粘度を低下させるので、形成される超分子の分子間結合を弱める機能を有していることが分かる。
【００２９】
（実施例５）
本実施例では、ＤＯ３Ｂのみで、補助剤を添加しない溶液を、高温に晒された場合の粘度の温度依存性を調べた。
流動性有機物としてトリデカンを用い、ＤＯ３Ｂを１０ｍＭ（重量モル濃度）溶かした試料を作成し、約１５０℃以上で数分間の加熱を繰り返した。加熱は空気中でおこなった。
加熱を繰り返す毎に粘度の低下が観測され、加熱による試料の変質が判明した。
数回加熱し、見た目に粘度が大きく低下した試料を用い、１０〜６０℃における粘度を測定した。
結果を図５に示す。図中の数字、３２(●)及び３２０（▲）は、それぞれ、粘度測定のずり速度(ｓ−１)を示す。
図５から明らかなように、この試料は、上記実施例で見た試料と同様に、粘度の温度依存性が逆転しており、補助剤を添加しなくても、加熱によって試料を変質させれば、上記と同様の効果を発揮させることが可能であることが判明した。溶媒分子の酸化等により、何らかの、上記補助剤に相当する分子間結合を弱める機能を有する物質が生成したと推察される。
なお、図５で、二つのずり速度(shear  rate)の粘度の値が異なるのは測定上の問題であると考えられ、本試料の非ニュートン性は非常に小さいといえる。
【００３０】
（実施例６）
本実施例では、流動パラフィン系のオイル（ＪＳ１０）に、温度依存性が逆転していることを確認した前記実施例５の試料を加えて、温度依存性を非常に小さくできることを確認した。なお、ＪＳ１０は、ＪＩＳＺ８８０９に規定されている粘度計校正用標準液の一つである。
用いた試料は、加熱により粘度変化した上記実施例５に用いた混合物で、ＤＯＢ３を含む試料の割合が５３％のものである。比較のために、ＪＳ１０についても、粘度を測定した。
図６にその結果を示す。
図は、ＪＳ１０だけ（―■−）のものは、１０℃から６０℃へ温度が上昇すると、粘度が約１／４になるのに対し、混合試料（−▲−）は、４０℃で最大の粘度となることを示している。この温度範囲では、粘度の最大値と最小値の偏差は２０％程度である。このことから、粘度の温度依存性を小さくした試料を作製できることが確かめられた。
なお、本実施例では、実施例５の試料を用いたが、実施例１、２に示したような、温度依存性を逆転させる機能を有する油溶性アルコール等の補助剤を用いた試料を用いた場合にも、同様の効果が得られる。
【図１】
2012077195.tif 000013
【図２】
2012077195.tif 000014
【図３】
2012077195.tif 000015
【図４】
2012077195.tif 000016
【図５】
2012077195.tif 000017
【図６】
2012077195.tif 000018